(57)【要約】【課題】除電棒の導電棒の先端から第１ブリーダー抵抗器までの長さを短くでき、ケーブルの損傷を軽減できる除電棒装置を得ること。【解決手段】本発明の除電棒装置３０Ａは、被検査装置ＥＵＴに接近させる或いは接触させる除電棒３１の導電棒３１ｂの先端に可能な限り近づけて、その除電棒３１の本体３１ａ或いは基端部に、前記除電棒３１に第１ブリーダー抵抗器３２の一端を電気的に接続して一体化し、その第１ブリーダー抵抗器３２の他端からケーブル３６を導出して、そのケーブル３６の接地電極３４側に近い部分に第２ブリーダー抵抗器３３を接続した構造を特徴とする。【選択図】図１
2006196422.tif 000002
【特許請求の範囲】
【請求項１】
被検査装置に接触させる除電棒の先端部に可能な限り近づけて該除電棒の本体部或いは基端部に、前記除電棒にブリーダー抵抗器の一端を電気的に接続して一体化し、該ブリーダー抵抗器の他端からケーブルを導出して、該ケーブルの接地電極側に近い部分に他のブリーダー抵抗器を接続した構造を特徴とする除電棒装置。
【請求項２】
前記両ブリーダー抵抗器の抵抗値が４７０ｋΩであることを特徴とする請求項１に記載の除電棒装置。
【請求項３】
前記両ブリーダー抵抗器が電気的絶縁カバーで覆われていることを特徴とする請求項１または請求項２に記載の除電棒装置。
【請求項４】
前記除電棒の先端部側に取り付けられる前記ブリーダー抵抗器の一端は前記除電棒の先端部から２０ｍｍ未満の部分に接続されていることを特徴とする請求項１、請求項２或いは請求項３に記載の除電棒装置。
【請求項５】
前記除電棒の先端部側に取り付けられる前記ブリーダー抵抗器が把手を兼用することを特徴とする請求項４に記載の除電棒装置。
【発明の詳細な説明】
【技術分野】
【０００１】
本発明は、コンピューター、映像モニター、プリンターなどの被検査装置（専門分野では「ＥＵＴ＝Ｅｑｕｉｐｍｅｎｔ  Ｕｎｄｅｒ  Ｔｅｓｔｉｎｇの略」と呼ばれている）を静電試験機を用いて静電試験を行う場合に、その被検査装置に残留している静電気を完全に除電するための除電棒装置に関するものである。
【背景技術】
【０００２】
静電気を帯びている作業者が、例えば、コンピューター、映像モニター、プリンターなどの電子機器に触れ、その作業者の静電気がその電子機器に放電し、その放電によりに内部の電子回路が誤動作したり、最悪の場合には電子回が破壊されてしまう。従って、そのような電子機器は設計段階で評価検討され、その耐静電能力を保証される必要がある。
【０００３】
この静電試験には静電試験機が用いられる。その一例の静電試験機を挙げるならば、（株）ノイズ研究所製のＥＳＳ−２０００型静電試験機を挙げることができる。このような静電試験機の内部に組み込まれている充放電回路のブロック図を図２に示した。
【０００４】
以下、前記静電試験機の構成とその動作の要点を説明する。
【０００５】
この充放電回路１０は、直流高電圧電源１１の出力側に充電リレー１２、充電抵抗器１３、放電抵抗器１４、放電リレー１５、そして充電抵抗器１３と放電抵抗器１４との間に一端が接続され、他端がグランド１７に接続された充電コンデンサ１６が直流高電圧電源１１に対して並列に接続されている。放電リレー１５の出力端子１８には放電ガン（不図示）が接続される。
【０００６】
被検査装置ＥＵＴの静電試験を行う場合には、先ず、同図Ａにおいて、充電リレー１２をオンにし、放電リレー１５をオフにする。直流高電圧電源１１で発生した直流高電圧は充電リレー１２及び充電抵抗器１３を介して充電コンデンサ１６に充電される。
【０００７】
この充電コンデンサ１６に規定の電圧が充電された後、同図Ｂに示したように、充電リレー１２をオフし、放電リレー１５をオンにすると、充電コンデンサ１６に蓄えられた電荷が放電抵抗器１４及び放電リレー１５を介して出力端子１８に接続されている放電ガンより被検査装置ＥＵＴに放電される。
【０００８】
放電ガンとしては、図３に示したように、先端部が比較的丸く形成されている気中放電用のチップ（同図Ａ）と、先端部が尖った接触放電用チップ（同図Ｂ）とがあり、静電試験の種類に応じて使い分けされる。それら各チップの各部分の寸法は、本発明の要点ではないので記載を省略するが、下記の［非特許文献１］の６１０００−４−２−２８頁、図４「ＥＳＤ発生器の放電電極」で規定されている。
【０００９】
このような静電試験機を用いて被検査装置ＥＵＴの静電試験を行う場合には、図４に示したように、先ず、作業台２０の天板２１上に、例えば、プラスチック製の電気絶縁シート２２を敷いて、その上に被検査装置ＥＵＴを載置する。
【００１０】
このように載置されている被検査装置ＥＵＴに対して静電試験機の充放電回路１０（図２）で生成した、例えば、８ｋＶの静電気を放電ガン（不図示）を通じて放電する。この８ｋＶの静電気が印加されても、被検査装置ＥＵＴが誤動作或いは破壊されなければ、使用者がその被検査装置ＥＵＴの電子機器を使用した時に、その使用者から放電される静電気が８ｋＶ或いはそれ以下であれば、たとえ使用者からそのような値の静電気が放電されても、正常に作動するものと判断する。
【００１１】
静電試験においては、前記のように、被検査装置ＥＵＴに放電ガンで８ｋＶの静電気を数回繰り返して放電しなければならないという規定がある。その場合、それらの放電の各回毎に被検査装置ＥＵＴに帯電している静電気を完全に放電しなければならない。４ｋＶでも６ｋＶでも静電気が残留していると、次に放電する８ｋＶの電圧はその被検査装置ＥＵＴには８ｋＶ印加されず、４ｋＶとか２ｋＶとなり、その結果、正確に静電試験を行うことができなくなる。
【００１２】
それ故、被検査装置ＥＵＴに所定の電圧の静電気を放電する都度、その前に被検査装置ＥＵＴに帯電している静電気を除電しておかなければならないと前記規格に規定されている。
【００１３】
その除電には、図５及び図６に示したような除電棒装置３０が用いられている。この除電棒装置３０の構成は、除電棒３１と、第１ブリーダー抵抗器３２と、第２ブリーダー抵抗器３３と、接地電極３４とからなる。その第１ブリーダー抵抗器３２は除電棒３１にできるだけ接近してケーブル３５を介して接続されており、第１ブリーダー抵抗器３２と第２ブリーダー抵抗器３３とは所要の長さのケーブル３６で接続されており、そして第２ブリーダー抵抗器３３はケーブル３７を介して接地電極３４に近づけて接続されている。第１ブリーダー抵抗器３２、第２ブリーダー抵抗器３３ともに抵抗値は４７０ｋΩである。第１ブリーダー抵抗器３２及び第２ブリーダー抵抗器３３はそれぞれ電気絶縁性のプラスチックのケース３８に収納されている。
【００１４】
このような除電棒装置３０を用いて被検査装置ＥＵＴに帯電している静電気を除電する場合には、図４及び図５に示したように、接地電極３４をグランド１７に接続し、作業者は除電棒３１の本体３１ａを持って、その先端の導電棒３１ｂを、静電試験機で生成した静電気を放電ガンで放電しようとする被検査装置ＥＵＴの所定の箇所に接触させ、その被検査装置ＥＵＴに残留している静電気を放電電流としてグランド１７に逃がすようにする。
【非特許文献１】静電気放電イミュニティ試験の規格（ＩＥＣ６１００−４−２）９５年度版（第６１０００−４−２−１８頁、２８頁図４、２９頁図５）
【発明の開示】
【発明が解決しようとする課題】
【００１５】
前記のように従来技術の除電棒装置３０は、除電棒３１の導電棒３１ｂの先端から第１ブリーダー抵抗器３２までの長さを短くすることが困難であり、また、除電作業中、作業者は除電棒３１の本体３１ａ部分を持つだけで、第１ブリーダー抵抗器３２及び第２ブリーダー抵抗器３３は宙ぶらりんであるため、除電棒３１、各ブリーダー抵抗器３２、３３、接地電極３４に直接接続されているケーブル３５、３６、３７部分は損傷し易いという課題がある。
【００１６】
本発明は、このような課題を解決しようとするものであって、除電棒３１の導電棒３１ｂの先端から第１ブリーダー抵抗器３２までの長さを短くすることができ、ケーブルの損傷を軽減できる除電棒装置を得ることを目的とする。
【課題を解決するための手段】
【００１７】
それ故、本発明の除電棒装置は、被検査装置に接触させる除電棒の先端部に可能な限り近づけてその除電棒の本体部或いは基端部に、前記除電棒にブリーダー抵抗器の一端を電気的に接続して一体化し、そのブリーダー抵抗器の他端からケーブルを導出して、そのケーブルの接地電極側に近い部分に他のブリーダー抵抗器を接続した構造を特徴とする。
【００１８】
前記両ブリーダー抵抗器の抵抗値は４７０ｋΩであることが望ましい。そして前記両ブリーダー抵抗器が電気的絶縁カバーで覆われていることを特徴とする。
【００１９】
また、前記除電棒の先端部側に取り付けられる前記ブリーダー抵抗器の一端は前記除電棒の先端部から２０ｍｍ未満の部分に接続されていることが好ましい。
【００２０】
更に、前記除電棒の先端部側に取り付けられる前記ブリーダー抵抗器が把手を兼用することを特徴とする。
【００２１】
従って、本発明の除電棒装置によれば、ブリーダー抵抗器と除電棒の先端部との長さを大幅に短くでき、前記静電気放電イミュニティ試験の規格を満たすことができ、そしてケーブルの損傷を軽減することができる。
【発明の効果】
【００２２】
本発明の除電棒装置によれば、
１．取り扱い易く、被検査装置の除電作業能率が向上する
２．ケーブルの損傷を軽減できる
３．ブリーダー抵抗器と除電棒の先端部との長さを大幅に短くできる
４．除電棒に取り付けたブリーダー抵抗器を把手として用いることができる
など、数々の優れた効果が得られる。
【発明を実施するための最良の形態】
【００２３】
本発明の除電棒装置は、被検査装置に接近させる或いは接触させる除電棒の先端部に可能な限り近づけてその除電棒の本体部或いは基端部にブリーダー抵抗器の一端を電気的に接続して一体化した構造のものである。
【００２４】
以下、図を用いて、本発明の除電棒装置を説明する。
【実施例】
【００２５】
図１は本発明の一実施例の除電棒装置の側面図である。
【００２６】
なお、従来技術の除電棒装置３０と同一の部分には同一の符号を付して説明する。
【００２７】
図１において、符号３０Ａは全体として本発明の一実施例の除電棒装置を指す。この除電棒装置３０Ａは、本体３１ａと導電棒３１ｂとからなる除電棒３１と、第１ブリーダー抵抗器３２と、第２ブリーダー抵抗器３３と、接地電極３４とから構成されている点は従来技術のものと変わりはないが、第１ブリーダー抵抗器３２は除電棒３１の基端部に一体的に結合させた構造となっている。即ち、従来技術の除電棒装置３０（図６）におけるケーブル３５を除外した。そして除電棒３１の絶縁部分である本体３１ａの長さ及び導電棒３１ｂの長さをできるだけ短くし、できれば前記規格に合致するように導電棒３１ｂの先端から第１ブリーダー抵抗器３２までの長さを２０ｍｍ或いはこれよりも短くする。
【００２８】
第１ブリーダー抵抗器３２と第２ブリーダー抵抗器３３とは従来技術の除電棒装置３０におけるケーブル３６と同様に所要の長さのケーブル３６で接続されている。そして第２ブリーダー抵抗器３３は接地電極３４に近づけてケーブル３７を介してその接地電極３４に接続されている。第１ブリーダー抵抗器３２、第２ブリーダー抵抗器３３ともに抵抗値は４７０ｋΩである。第１ブリーダー抵抗器３２及び第２ブリーダー抵抗器３３はそれぞれ電気絶縁性のプラスチックのケース３８に収納されている。
【００２９】
前記の実施例では、第１ブリーダー抵抗器３２を除電棒３１の本体３１ａの基端部に一体化した構造で形成したが、本体３１ａを太くし、その内部に第１ブリーダー抵抗器３２を収容する構造を採っても良い。そのような構造を採ると、第１ブリーダー抵抗器３２用のケース３８を省略することができ、部品点数を削減することができる。
【産業上の利用可能性】
【００３０】
以上の説明から明らかなように、電子機器を製造する、或いは取り扱う産業、例えば、情報機器製造産業、家電機器製造産業、車両搭載用電子機器製造産業、カメラ製造産業など、静電試験を必要とする産業で利用することができる。
【図面の簡単な説明】
【００３１】
【図１】本発明の一実施例の除電棒装置の側面図である。
【図２】静電試験機の充放電回路ブロック図で、同図Ａはその充電状態を、同図Ｂはその放電状態を示している。
【図３】静電試験機に付属している放電ガンのチップで、同図Ａはその気中放電用チップの一部側面図、同図Ｂはその接触放電用チップの一部側面図である。
【図４】従来技術の除電棒装置を用いて被検査装置ＥＵＴの除電作業を行う状況を示した概略的側面図である。
【図５】従来技術の除電棒装置の回路図である。
【図６】従来技術の除電棒装置の構成、構造図である。
【符号の説明】
【００３２】
３０Ａ…本発明の一実施例の除電棒装置、３１…除電棒、３１ａ…除電棒３１の本体、３１ｂ…除電棒３１の導電棒、３２…第１ブリーダー抵抗器、３３…第２ブリーダー抵抗器、３４…接地電極、３６，３７…ケーブル、３８…（電気絶縁製）ケース
【図１】
2006196422.tif 000003
【図２】
2006196422.tif 000004
【図３】
2006196422.tif 000005
【図４】
2006196422.tif 000006
【図５】
2006196422.tif 000007
【図６】
2006196422.tif 000008